(57)【要約】【課題】使用者が脱水行程の途中や終了前に蓋を開けたときに、脱水槽の回転数が所定の回転数未満では警報は発しなかったので、脱水槽が低回転数で回転しているときに蓋を開けると、脱水槽が回転していることを十分に認識できなかった。【解決手段】脱水行程の途中や終了前に蓋を開けたとき、回転数によらず、モータ駆動を停止させ、所定時間警報を発するため、使用者は確実に危険を感知することができ、脱水槽に手を入れて怪我をするのをより確実に防止することができる。【選択図】図１
2009082319.tif 000002
【特許請求の範囲】
【請求項１】
水受け槽内に回転自在に配設した洗濯兼脱水槽と、前記洗濯兼脱水槽の上部を覆う蓋と、ベルトを介して前記洗濯兼脱水槽を駆動するモータと、前記蓋の開閉を検知する蓋開閉検知手段と、洗濯、すすぎ、脱水の各行程を逐次制御する制御手段と、前記制御手段からの信号を受けて警報を発する警報手段と、前記洗濯兼脱水槽の回転数を検知する回転数検知手段とを備え、前記制御手段は、すすぎおよび脱水行程中における前記洗濯兼脱水槽の脱水回転中に前記蓋開閉検知手段が前記蓋の開扉を検知したとき、前記モータ駆動を停止させ、前記洗濯兼脱水槽の回転数が所定の回転数以下になるまで、前記警報手段から警報を発するようにした洗濯機。
【請求項２】
水受け槽内に回転自在に配設した洗濯兼脱水槽と、前記洗濯兼脱水槽の上部を覆う蓋と、ベルトを介して前記洗濯兼脱水槽を駆動するモータと、前記蓋の開閉を検知する蓋開閉検知手段と、洗濯、すすぎ、脱水の各行程を逐次制御する制御手段と、前記制御手段からの信号を受けて警報を発する警報手段と、前記洗濯兼脱水槽の回転数を検知する回転数検知手段とを備え、前記制御手段は、すすぎおよび脱水行程中における前記洗濯兼脱水槽の脱水回転中に前記蓋開閉検知手段が前記蓋の開扉を検知したとき、前記モータ駆動を停止させ、前記洗濯兼脱水槽が停止するために必要な最長の時間より長い所定の時間、前記警報手段から警報を発するようにした洗濯機。
【発明の詳細な説明】
【技術分野】
【０００１】
本発明は蓋が開扉したとき所定時間警報が発せられる洗濯機に関するものである。
【背景技術】
【０００２】
図３は、特許文献１に記載された従来の洗濯機を示すものである。以下、その構成について説明する。
【０００３】
図３に示すように、水受け槽１は、底部にパルセーター２を回転自在に配設した洗濯兼脱水槽（以下、脱水槽という）３を内包し、吊り棒４により洗濯機外枠５に吊り下げている。循環水路カバー６は、脱水槽３の内面に取着し、脱水槽３との間に独立した循環水路７を形成している。パルセーター２の裏面に下側羽根８を一体に設け、下側羽根８の外周に形成したポンプ室９を循環水路７に連通している。循環水路７の上部を脱水槽３の内部に向けて開口した開口部１０を形成し、この開口部１０にリントフィルター１１を設けている。
【０００４】
モータ１２は、ベルト１３および減速機構兼クラッチ（以下、クラッチという）１４を介して、パルセーター２または脱水槽３を駆動する。クラッチ１４には脱水槽３の回転軸を固定するブレーキ１５を設けており、ギヤードモータ１６で駆動される。排水弁１７は水受け槽１内の洗濯液を排水し、給水弁１８は給水を行うための弁である。蓋１９は脱水槽３の上部を覆うもので、磁石と感磁素子により蓋１９の開閉を検知する蓋開閉検知手段２０を設けている。また、洗濯機を制御する制御装置２１、脱水時の振動を低減させるための流体バランサー２２を設けている。
【０００５】
上記構成において、洗濯、またはすすぎが終了すると、排水弁１７を開放し、水受け槽１内の洗濯液を排水する。排水が終了すると、ギヤードモータ１６に通電し、ブレーキ１５のレバーを引いてブレーキを緩め、脱水槽３を回転できる状態にする。つぎに、モータ１２に通電し、ベルト１３、クラッチ１４を介して脱水槽３を回転させ、脱水行程に入る。
【０００６】
脱水行程の途中または脱水行程のほぼ終了時に、使用者が蓋１９を開けた場合、蓋開閉検知手段２０が作動し、ギヤードモータ１６の通電を停止することによりブレーキ１５が戻り、脱水槽３の回転軸にブレーキをかけ、脱水槽３の回転を急速に止めると同時に、回転数検知手段により検知した脱水槽３の回転数が所定値以上の場合は、表示手段、吹鳴手段により警報を発し、使用者に注意を喚起する。
【特許文献１】特開平８−１５５１８８号公報
【発明の開示】
【発明が解決しようとする課題】
【０００７】
しかしながら、前記従来の洗濯機では、使用者が脱水行程の途中や終了前に蓋１９を開けた場合に、脱水槽３の回転数が所定の回転数未満では警報は発しなかったので、脱水槽３が低い回転数で回転しているときに蓋１９を開けると、脱水槽３が回転していることを十分に認識することができなかった。
【０００８】
本発明は上記課題を解決するもので、脱水行程の途中や終了前に蓋を開けたときは脱水槽３の回転数の高低に関わらず、所定時間警報手段から警報を発するようにしたことを目的としている。
【課題を解決するための手段】
【０００９】
前記従来の課題を解決するために、本発明の洗濯機は、上記第１の目的を達成するために、水受け槽内に回転自在に配設した洗濯兼脱水槽と、前記洗濯兼脱水槽の上部を覆う蓋と、ベルトを介して前記洗濯兼脱水槽を駆動するモータと、前記蓋の開閉を検知する蓋開閉検知手段と、洗濯、すすぎ、脱水の各行程を逐次制御する制御手段と、前記制御手段からの信号を受けて警報を発する警報手段と、前記洗濯兼脱水槽の回転数を検知する回転数検知手段とを備え、前記制御手段は、すすぎおよび脱水行程中における前記洗濯兼脱水槽の脱水回転中に前記蓋開閉検知手段が前記蓋の開扉を検知したとき、前記モータ駆動を停止させ、前記洗濯兼脱水槽の回転数が所定の回転数以下になるまで、前記警報手段から警報を発するように設定した。
【００１０】
本構成によって、使用者に、脱水槽が回転し危険であるということをより確実に喚起することができる。
【発明の効果】
【００１１】
本発明の洗濯機によれば、制御手段は、蓋開閉検知手段が蓋の開扉を検知したとき、モータ駆動を停止させ、所定時間警報を発するので、使用者は確実に危険を感知することができ、脱水槽の回転数が低い場合でも脱水槽に手を入れて怪我をするのをより確実に防止することができる。
【発明を実施するための最良の形態】
【００１２】
以下、本発明の実施の形態について、図面を参照しながら説明する。なお、この実施の形態によって本発明が限定されるものではない。
【００１３】
（実施の形態１）
図１および図２は、本発明の実施の形態１に係わる洗濯機の要素構成を示すものである。なお、従来例と同じ構成のものは同一符号を付して説明を省略する。
【００１４】
図１および図２に示すように、回転数検知手段２３は、脱水槽３の回転数を検知するものである。また、警報手段は、表示手段２４と吹鳴手段２５とからなり、動作状態の表示や異常時の報知をする。
【００１５】
また、蓋１９の前端に磁石２６を設け、制御装置２１内に感磁素子２７を磁石２６と相対するように設けている。感磁素子２７は、ホールＩＣなどで構成し、蓋１９に設けた磁石２６の磁力線により蓋１９の開閉を検知する蓋開閉検知手段２０を構成している。かかる構成により、蓋開閉検知手段２０を安価にでき、蓋開閉検知の信頼性を向上することができる。
【００１６】
パワースイッチング手段２８は、制御手段２９の出力によりモータ１２、ギヤードモータ１６、排水弁１７、給水弁１８などの通電を制御する。操作手段３０は、使用者が操作し所望の入力をするものである。
【００１７】
感磁素子２７は、蓋１９に設けた磁石２６の磁力線により蓋１９の開閉を検知し、その出力を制御手段２９に入力している。水位検知手段３１は、水受け槽１内の水位を検知するものである。また、パワースイッチング手段２８などを有する回路は、モータ１２の進相用コンデンサ３２、電源スイッチ３３、商用電源３４も有する。
【００１８】
制御手段２９は、洗濯、すすぎ、脱水の各行程を逐次制御するとともに、すすぎおよび脱水行程において脱水槽３が脱水回転しているときに、感磁素子２７により蓋１９が開けられたことを検知すると、表示手段２４または吹鳴手段２５にいずれか一方または両方より警報を発する。
【００１９】
上記構成において動作を説明すると、通常の洗濯行程が終了した後に、すすぎおよび脱水の各行程が始まり、使用者が脱水槽３の脱水回転中に蓋１９を開けたとき、磁石２６が感磁素子２７から離れ、感磁素子２７への磁力線が規定値以下になると、感磁素子２７の出力がハイからローになり、蓋１９が開けられたことを検知する。この結果は制御手段２９に入力され、直ちにパワースイッチング手段２８を制御して、モータ１２への通電を停止（脱水通電停止後なら、そのまま）するとともに、ギヤードモータ１６の通電も停止してブレーキ１５を作動させて、脱水槽３の回転にブレーキをかける。また、このとき、警報手段である表示手段２４および吹鳴手段２５は、制御手段２９からの信号を受け、脱水槽３の回転数が所定の回転数（例えば安全に使用できる脱水槽３の回転数である６０回転／分）以下になるまで、または脱水槽３が停止するために必要な最長の時間より長く設定した所定の時間、動作状態の表示や異常時の報知を行い、警報を発する。
【００２０】
なお、脱水槽が停止するまでの時間は、脱水槽３内の布量、脱水回転数、ベルトテンションの変動、脱水槽３中の布の偏り、またはブレーキの有無などにより変動する。したがって、ブレーキが故障しているときなどに脱水槽３が停止するまでに要する時間が長くなるが、警報を発する所定の時間は、これらの時間の中で最長の時間より長い時間である。かかる所定時間はおよそ８０秒から１２０秒ほどであることが経験的に分かっている。
【００２１】
なお、蓋１９が閉じられると、磁石２６が感磁素子２７に近づき、感磁素子２７への磁力線が規定値以上になると、感磁素子２７の出力がローからハイに戻り、蓋１９が閉じられたことを検知する。制御手段２９はこの検知を受け、警報手段からの警報を止める。また、このとき、脱水行程が終わっていなければ脱水槽の回転が再び始まり、脱水行程が終わり慣性により回転しているときに蓋１９を開けて警報がなった場合は、蓋１９を閉じればそのまま脱水行程が終了する。
【００２２】
かかる構成により、使用者に蓋１９を閉じることを促し、より安全に洗濯機を使用することができる。
【００２３】
また、警報手段は、表示手段２４または吹鳴手段２５のいずれか一方または両方で構成し、制御手段２９は、吹鳴手段２５による断続音または表示手段２４による点滅表示により警報を発するようにしたことから、洗濯機の基本機能として備えている表示手段２４または吹鳴手段２５で警報を発することができ、費用を新たに付加する必要がない。
【００２４】
以上のように本実施の形態によれば、使用者が蓋１９を開けたとき、脱水槽３が回転し続けうる間、警報を発するので、使用者に確実に注意を喚起することにより、より安全に洗濯機を使用することができ、蓋１９の開閉検知に磁力線を使うので水や汚れに強く信頼性が高く、警報は表示素子とブザーを使うので新たに追加する必要がなく、実用性に優れた危険除去装置を提供できる。
【００２５】
なお、本実施の形態では、モータ１２は、インダクションモータで構成しているが、整流子モータなどであってもよい。
【産業上の利用可能性】
【００２６】
本発明にかかる洗濯機は、使用者が脱水行程の途中や終了前に蓋を開けたとき、使用者に確実に注意を喚起することにより、不安全行為を事前に防ぐことができるので、洗濯機として有用である。
【図面の簡単な説明】
【００２７】
【図１】本発明の実施の形態１の洗濯機のブロック図
【図２】本発明の実施の形態１の洗濯機の断面図
【図３】従来の洗濯機の断面図
【符号の説明】
【００２８】
１  水受け槽
３  脱水槽
１３  モータ
１９  蓋
２０  蓋開閉検知手段
２４  表示手段（警報手段）
２５  吹鳴手段（警報手段）
２６  磁石（蓋開閉検知手段）
２９  制御手段
【図１】
2009082319.tif 000003
【図２】
2009082319.tif 000004
【図３】
2009082319.tif 000005